(57)【要約】【課題】            本発明の医療用容器は、栄養剤の医療用容器への注入時における、取り扱い性を向上させることを目的とする。【解決手段】          本発明の医療用容器は、可撓性を有するシートを貼り合わせてなる袋状の容器本体を備えた、医療用容器であって、互いに向きの異なる２つ以上の目盛りが、一方のシート表面と他方のシート表面、もしくは一方のシート表面のみに表示され、シートの一部に把持側表示を有することを特徴とする、医療用容器を提供する。【選択図】          図１(a)
2010119401.tif 000002
【特許請求の範囲】
【請求項１】
可撓性を有するシートを貼り合わせてなる袋状の容器本体と、注排液可能なポートを備えた医療用容器であって、互いに向きの異なる２つ以上の目盛りが、一方のシート表面と他方のシート表面、もしくは一方のシート表面のみに表示され、シートの一部に医療用容器を手で把持する側を表示する把持側表示を設けたことを特徴とする、医療用容器。
【請求項２】
前記ポート近傍に把持側表示を設けたことを特徴とする、請求項１に記載の医療用容器。
【請求項３】
前記把持側表示が印であり、周辺の色とは異なる色で設けられていることを特徴とする、請求項１または２に記載の医療用容器。
【請求項４】
シートの両面に把持側表示を設けたことを特徴とする、請求項３に記載の医療用容器。
【請求項５】
前記把持側表示が突起であることを特徴とする、請求項１または２に記載の医療用容器。
【発明の詳細な説明】
【技術分野】
【０００１】
本発明は、経腸栄養法や静脈栄養法などを行う際に患者に投与する液状物を収納するた
めの医療用容器に関する。
【背景技術】
【０００２】
経口によらずに患者に栄養や薬剤を投与する方法として経腸栄養法が知ら
れている。経腸栄養法では、患者の鼻腔から胃又は十二指腸にまで通されたチューブを介
して栄養剤、流動食、又は薬剤などの液状物が投与される。
【０００３】
病院等の医療現場では経腸栄養法は例えば以下のような手順で行われる。
まず、作業室で患者に投与する液状物を調整し、医療用容器２０１を手で持つか、後述する医療用容器架台にかけ、容器の一方の面に表示される目盛り２１５を参考にしながら、ポート２２０を通して医療用容器２０１に液状物を注入する。（図６（a）参照）次いで、医療用容器２０１のポート２２０に、可撓性を有する長尺のチューブを含むいわゆる経腸栄養投与セット２１０の一端を接続する。次いで、医療用容器を、経腸栄養投与セット２１０が接続されたポート２２０を下側にしてハンガー９９６に吊り下げる。（図６（ｂ）参照）医療用容器の孔２１２にハンガー９９６を通して吊り下げた状態で医療用容器２０１及び経腸栄養投与セット２１０を患者がいる病室に搬送する。そして、経腸栄養投与セット２１０の医療用容器２０１に接続された側とは反対側のコネクタ２１７を患者に接続し、容器の他方の面に表示される図６（a）の目盛り２１５とは逆向きの目盛り２１６を参考にしながら、医療用容器内の液状物を患者に投与する。
【０００４】
このような経腸栄養法で使用される医療用容器は例えば特許文献１で公知である。
【特許文献１】特開２００８−１３２３０２号公報
【発明の開示】
【発明が解決しようとする課題】
【０００５】
経腸栄養法の上記の作業手順では、以下に示す問題が生じる。即ち、図６（a）に示されるように液状物を医療用容器２０１に注入する際に参考とする、容器の一方の面に表示される目盛り２１５の向きと、医療用容器内の液状物を患者に投与する際に参考とする、容器の他方の面に表示される目盛り２１６の向きは異なっている。そのため、液状物を医療用容器２０１に注入する際、容器の持ち方によっては、医療用容器内の液状物を患者に投与する際に参考とする目盛り２１６が作業者の側を向いており、目盛り２１５が見えないことがある。
【０００６】
よって、そのような状況が発生しないように、医療用容器２０１を手で持った後、目盛りの向きを確認し、向きが異なる場合は、医療用容器２０１を持ち直していた。
しかしながら、この場合は作業が煩雑になってしまい、1日に大量の医療用容器を取り扱う病院では、作業者の負担が増加してしまう。
【０００７】
本発明は、上記の従来の問題を解決し、栄養剤の医療用容器への注入時における、作業性を向上させることを目的とする。
【課題を解決するための手段】
【０００８】
本発明の医療用容器は、可撓性を有するシートを貼り合わせてなる袋状の容器本体と、注排液可能なポートを備えた医療用容器であって、互いに向きの異なる２つ以上の目盛りが、一方のシート表面と他方のシート表面、もしくは一方のシート表面のみに表示され、シートの一部に医療用容器を手で把持する際の注意喚起部と、シート周縁に医療用容器を手で把持するための把持部を有することを特徴とする、医療用容器を提供する。
【発明の効果】
【０００９】
本発明によれば、把持する側を示す把持側表示を確認して容器を手で持つことにより、液状物を注入する際、向きの異なる目盛りが作業者側に向くことにならず、作業性を向上させることができる。
【発明を実施するための最良の形態】
【００１０】
本発明の上記の医療用容器において、ポート近傍に前記把持側表示を設けることが好ましい。ポート付近に把持側表示を設けることにより、把持側表示又はその付近を把持したとき、ポートの重さで容器が折れ曲がることがなく、作業を効率的に進めることができる。
【００１１】
本発明の上記の医療用容器において、把持側表示を印で設ける場合は、印の色が印周辺の色と異なる医療用容器であることが好ましい。色による違いにより、目で注意喚起部と瞬時にわかるからである。
【００１２】
本発明の上記の医療用容器において、一方のシート表面および他方のシート表面のどちらからでも前記把持側表示を確認できるように設けることが好ましい。
【００１３】
本発明の上記の医療用容器において、前記把持側表示は色、文字、矢印などの印であっても良いし、形状で識別する突起であってもよく、両者を組み合わせたものであってもよい。このようにすることにより、よりわかり易くなるからである。
【００１４】
次に、本発明の実施形態について、図を用いながら説明する。図１（a）、図１（ｂ）に示すように、容器本体１０は可撓性を有する２枚のシートをシール領域で張り合わせてなり、外形は略長方形状を有し、その一対の短辺のうちの一方の短辺（第１短辺）１０Ｓ1の中央にポート５０が取り付けられている。第１短辺１０Ｓ1に沿ったシール領域１１内に、略菱形の一対の孔（第１孔）２０ａ，２０ｂが形成されている。一対の孔（第１孔）２０ａ，２０ｂは、ポート５０を第１短辺１０Ｓ1方向に挟むように配置されている。
【００１５】
容器本体の一方のシート表面には、液状物を容器本体に注入する際に参考とする目盛り１３が、他方のシート表面には、容器本体に収容した液状物を患者に投与する際に参考とする目盛り１４が、それぞれ設けられている。容器本体１０の一対の短辺のうち、ポート５０が取り付けられていない方の短辺（第２短辺）１０Ｓ2に沿ったシール領域１１内には、略円形の第２孔３２及び一対の略半円形の第３孔３３ａ，３３ｂが形成されている。
【００１６】
第２孔３２は第２短辺１０Ｓ2のほぼ中央に配置されており、一対の第３孔３３ａ，３３ｂは第２孔３２を第２短辺１０Ｓ2の方向に挟むように配置されている。第２短辺１０Ｓ2に沿ったシール領域１１の近傍に繰り返して開閉が可能な線状ファスナ１２が設けれている。線状ファスナ１２を開くと、容器本体１０の内部に通じる開口が形成される。
【００１７】
また、略長方形の容器本体１０のシート周縁にある４隅のうち、ポート５０に近い２隅の１つに印５が形成されている。ここで、印５の色は青色、印の周りのシートの色は白色であるため、色により容易に視認でき、注意喚起部及び把持部としての機能を併せ持っている。また、印は２枚のシートの両方に形成されているため、どちらのシートからでも印を確認できる。
なお、本実施例では印の色を青、シートの色を白としたが、印が目立つような色の組合せにするのが好ましい。
さらに、印の位置はポート近傍の２隅のうちの１つにしたが、このような位置に印を設け、その近傍を把持することにより、医療用容器１を把持した際に、容器本体１０がポート５０の重さで折れ曲がる事がないので好ましい。具体的には、印はポートの中心から半径１０ｃｍ以内にあると好ましい。また、半径５ｃｍ以内にあるとより好ましい。
【００１８】
容器本体１０を構成するシートの材質は特に限定されず、通常は、２層以上の複合シー
トが使用される。例えば、ポリエチレンテレフタレート、ナイロン、ポリプロピレン、ポ
リエチレンなどのプラスチック材料の中から互いに異なる材料を選択してなる内層及び外
層を含む複合シートを用いることができる。この複合シートに、バリア層として酸化アル
ミニウムやシリカなどの薄膜を形成してもよい。容器本体１０内の液状物の量などを確
認することができるように、２枚のシートのうちの少なくとも一方は透明又は半透明であ
ることが好ましい。医療用容器において一般的なヒートシール法にて２枚のシートをシー
ルする場合、各シートの相手方のシートと対向する面にはヒートシール層が設けられる。
ポート５０は、例えば、ポリエチレン、ポリプロピレン、ポリ塩化ビニル、ポリエチレ
ンテレフタレート、エチレン酢酸ビニルコポリマー、熱可塑性エラストマー、ポリアセタ
ール等の容器本体１０に比べて相対的に硬い材料からなり、例えば射出成型にて一体的に
製造することができる。
【００１９】
次に、本実施形態の容器１の使用方法の一例を説明する。容器１は空の状態で病院等に供給される。病院等の作業室では、調製された液状物を容器１に注入する。液状物の注入は、ポート５０を通じて行う。さらに、本発明の医療用容器を好適な実施形態を示しながら詳細に説明する。
【００２０】
図２は、本発明の一実施形態に係る医療用容器架台１００の概略構成を示した斜視図である。以下の説明の便宜のために、図示したように、医療用容器架台１００の幅方向軸をＸ軸、奥行き方向軸をＹ軸、上下方向軸をＺ軸とするＸＹＺ直交座標系を設定する。図示した矢印の向きを、Ｘ軸、Ｙ軸、及びＺ軸の正の向きとする。すなわち、Ｘ軸の右側が正の側、左側が負の側であり、Ｙ軸は手前が正の側、後側が負の側、Ｚ軸は正の側、下側が負の側である。
【００２１】
Ｙ軸及びＺ軸を含む面（以下「ＹＺ面」という）と平行な３つの側面板１１０Ｌ，１１０Ｃ，１１０Ｒが、Ｘ軸方向に互いに略等間隔で配置されている。Ｘ軸方向に延びた医療用容器懸吊台１３０が３つの側面板１１０Ｌ，１１０Ｃ，１１０Ｒの上端に架け渡されて支持されている。一対の支持バー１２１Ｌ，１２２Ｌが互いに隣り合う側面板１１０Ｌ，１１０Ｃの下端間を連結しており、一対の支持バー１２１Ｒ，１２２Ｒが互いに隣り合う側面板１１０Ｃ，１１０Ｒの下端間を連結している。
【００２２】
医療用容器懸吊台１３０の前側の端縁には、医療用容器を吊り下げるための４つの切り欠き１３１が形成されている。
【００２３】
Ｘ軸方向に延びた漏斗保持台１７０が、３つの側面板１１０Ｌ，１１０Ｃ，１１０Ｒ上に支持されている。漏斗保持台１７０には、医療用容器懸吊台１３０に吊り下げられた医療用容器に液状物を注入する際に使用する漏斗を挿入して保持する４つの貫通孔１７１が形成されている。
【００２４】
漏斗保持台１７０のＸ軸方向の両端と一対の側面板１１０Ｌ，１１０Ｒとは回動機構及び上下方向案内機構を介して連結されている。
【００２５】
次に、以上のように構成された本実施形態の医療用容器架台１００の使用方法及び動作を説明する。
【００２６】
初期状態では、図２に示すように、回動機構により漏斗保持台１７０は最も後側に回動されている。漏斗保持台１７０のこの回動位置を「第１回動位置」と呼ぶ。ここで、漏斗保持台１７０の「回動位置」とは、回動中心に対する角度、即ち回動機構を構成する一対の第１リンク１８１，１８２の傾きにより判断し、漏斗保持台１７０の高さや回動中心からの距離の違いは考慮しない。
【００２７】
漏斗保持台１７０が第１回動位置にあるときに、図２に示すように、空の医療用容器の印５部分を手で持ち、医療用容器懸吊台１３０の切り欠き１３１に挿入して医療用容器懸吊台１３０に吊り下げる。医療用容器１のポート５０の外周に形成された突出した環状の鍔５１を、切り欠き１３１の周縁で支持することにより、図２に示すように、液状物を注入するためのポート５０を上方に向けた状態で医療用容器を吊り下げることができる。このとき、図１で示される医療用容器１にある印５がシート周辺の色と異なり、注意喚起部及び把持部としての機能を持つため、作業者は印５を右手で持って、懸吊台にかけることにより、医療用容器の片面に印字された、栄養剤を注入する際に使用する目盛り１３が、必ず作業者の方に向くことになる。もし、容器の誤った側を持って懸吊台にかけると、図２において誤ったものだけ印５が容器の右上に見えないので、すぐに気づく。
【００２８】
医療用容器への液状物の注入が完了すると、摺動板１６０を把持して漏斗保持台１７０を上方に持ち上げる。この回動位置を「第２回動位置」と呼ぶ（図示せず）。医療用容器１に所定量の液状物を注入した後、図３に示すようにポート５０の先端のキャップ装着部５６にキャップ６０を取り付ける。キャップ６０には、ポート５０のキャップ装着部５６の雄ねじと螺合する雌ねじ（図示せず）が形成されている。更に、キャップ６０に可撓性を有するチューブ７１を含む経腸栄養投与セット７０を接続する。これにより、キャップ６０を介して医療用容器１の内部と経腸栄養投与セット７０のチューブ７１とが連通する。図３に示した経腸栄養投与セット７０は、キャップ６０に設けられた筒状体６１に外挿されるゴムチューブ７２をチューブ７１の一端に備え、点滴筒７３及び流量を調整するためのクランプ７４をチューブ７１の途中に備え、雄コネクタ７５をチューブ７１の他端に備えている。図３の状態ではクランプ７４は閉じられている。経腸栄養投与セットとしては、図３に示した経腸栄養投与セット７０に限定されず、経腸栄養法を行う際に使用される公知の経腸栄養投与セット（栄養セットと呼ばれることもある）を適宜選択して用いることができる。また、キャップ６０と経腸栄養投与セット７０との接続方法も、図３に示した筒状体６１とゴムチューブ７２とを結合させる方式に限定されない。例えば、キャップ６０に設けたゴム栓に経腸栄養投与セットのチューブの一端に取り付けられた中空針を突き刺す方式やルアー接続方式等であっても良い。
【００２９】
次に、容器１を、図４に示すように、例えばイルリガートル台９１に吊り下げられたＳ
字フック９２を容器本体１０のシール領域１１内に形成された第２孔３２内に通すなど
してイルリガートル台９１に吊り下げる。第２孔３２を利用して医療用容器１を吊り下げることにより、容器本体１０の長手方向（略長方形の容器本体１０の一対の長辺と平行な方向）を重力方向とほぼ平行にして、ポート５０を下方に向けさせることができる。従って、容器本体１０に充填された液状物を重力を利用して残らずポート５０から流出させることができる。
なお、図１（a）、図３は、一方のシート側から見た図で、図１（ｂ）、図４は他方のシート側から見た図であり、目盛りの向きは両者で逆になっている。また、印５は両方のシートに表示されているのがわかる。
【００３０】
図４に示すように、医療用容器１をイルリガートル台９１に吊り下げ、且つ、経腸栄養投与セット７０のチューブ７１を孔２０ａ，２０ｂに挿入して保持させた状態で、容器１を患者がいる病室に搬送する。その後、チューブ７１を孔２０ａ，２０ｂから抜き取り、経腸栄養投与セット７０の雄コネクタ７５を患者に接続し、クランプ７４を開いて、容器１内の液状物を患者に投与する。このとき、図４の医療用容器１に示される目盛り（図１（a）、図３に示される、液状物を容器本体１０に注入するときに参考とする目盛りとは逆向きの目盛り）を参考にしながら、液状物を患者に投与する。
本実施形態では、色付けしたマークを印として設けたが、他の例として、文字や矢印であっても良い。また、印のかわりに図５に示すような突起６を設けても良い。図５においては、突起の色を突起周辺の色と異なるものにし、突起を周辺と同じ色で構成し、形状のみで把持する側を表示する側を表示しても良い。
【００３１】
本実施形態によれば、容器本体に設けた把持側表示が右側にあるのを確認し、その部分を右手で持つことにより、液状物を注入する際に参考とする目盛りが必ず作業者の方に向くことになる。そのため、容器への液状物の注入作業の効率を向上させることが出来る。
【００３２】
上記の実施形態は一例に過ぎず、本発明はその本質的部分が同じでさえあれば、この実施形態に限定されず、適宜変更することができる。
【００３３】
例えば、上記の実施形態の容器本体１０では、同一形状の２枚のシートが袋状に接合さ
れていたが、本発明はこれに限定されず、３枚以上のシートが袋状に接合されていても良
い。また、容器本体の平面視形状は長方形である必要もない。更に、容器本体が線状ファ
スナ１２を有していなくても良い。本発明の容器本体を構成するシートの数、形状、及び
その組み合わせ方に限定はなく、少なくとも互いに向きの異なる２つ以上の目盛りが、一方のシート表面と他方のシート表面、もしくは一方のシート表面のみに表示され、シートの一部に医療用容器を手で把持する側を示す表示を形成されていればよい。
【００３４】
容器１における通液部（例えばポート５０）の配置やシール領域に形成される孔の配
置は上記の実施形態に限定されない。例えば、平面視形状が長方形である容器本体の４つ
のコーナーのうちの１つに通液部を取り付けても良い。この場合、容器１を吊り下げるた
めの第２孔３２は、通液部が取り付けられたコーナーと対角位置にあるコーナーに設け
ることが好ましい。これにより、通液部の孔を重力方向に沿って下向きにして吊り下げ
ることができるので、容器本体１０内の液状物を重力を利用して流出させることができる。また、容器１の内外を連通させる通液部の数は１つに限定されず２以上であっても良い。経腸栄養投与セットのチューブを挿入するための第１孔の数は上記の実施形態のように２つである必要はなく、１つ又は３つ以上であっても、また、なくても良い。本実施形態では、医療用容器架台を用いて容器本体に栄養剤を注入したが、右手で印を把持し、左手で液状物を容器本体に注入しても良い。
【産業上の利用可能性】
【００３５】
本発明の利用分野は特に制限はないが、経腸栄養法などを行う際に使用される医療用容器として好ましく利用することができる。
【図面の簡単な説明】
【００３６】
【図１（ａ）】図１(a)は、本発明の一実施形態にかかる医療用容器の概略構成を示した正面図である。
【図１（ｂ）】図１(b)は、本発明の一実施形態にかかる医療用容器の概略構成を示した正面図である。
【図２】図２は、本発明の一実施形態に係る医療用容器架台の概略構成を示した斜    視図である。
【図３】図３は、ポートに経腸栄養投与セットが接続された本発明の一実施形態にかかる医療用容器の概略構成を示した図である。
【図４】図４は、ポートに経腸栄養投与セットが接続された本発明の一実施形態にかかる医療用容器をポートを下にして吊り下げた状態を示した図である。
【図５】図５は、本発明の一実施形態にかかる医療用容器の概略構成を示した正面図である。
【図６（ａ）】図６(a)は、従来の実施形態にかかる医療用容器の概略構成を示した正面図である。
【図６（ｂ）】図６(b)は、従来の実施形態にかかる医療用容器の概略構成を示した正面図である。
【符号の説明】
【００３７】
１  医療用容器（容器）
５    印（把持側表示）
６    突起（把持側表示）
１０  容器本体
１１  シール領域
１２  線状ファスナ
２０ａ，２０ｂ  孔（第１孔）
３２  第２孔
５０  ポート（通液部）
７０  経腸栄養投与セット
７１  チューブ
１００  医療用容器架台
１３０  医療用容器懸吊台
１６０  摺動板
１７０  漏斗保持台
１８１，１８２  リンク
【図１（ａ）】
2010119401.tif 000003
【図１（ｂ）】
2010119401.tif 000004
【図２】
2010119401.tif 000005
【図３】
2010119401.tif 000006
【図４】
2010119401.tif 000007
【図５】
2010119401.tif 000008
【図６（ａ）】
2010119401.tif 000009
【図６（ｂ）】
2010119401.tif 000010